(57)【特許請求の範囲】
【請求項１】
表面はマウスが滑走可能に構成されてマウスの操作を行うためのマウス滑走面で構成されるとともに、裏面はマウスパッドが載置される載置面に対して滑走性を有するパッド滑走面で構成され、かつ板状に形成され、その側面には指掛け用凹部又は指掛け用凸部が設けられ、側面が指で把持可能に構成されていることを特徴とするマウスパッド。
【請求項２】
表面と側面との間の境界部及び裏面と側面との間の境界部の少なくとも一方には面取部が形成されていることを特徴とする請求項１に記載のマウスパッド。
【請求項３】
石材により形成され、少なくとも表面及び裏面が研磨面で構成されていることを特徴とする請求項１又は請求項２に記載のマウスパッド。
【請求項４】
前記裏面には載置面に対するパッド滑走面の滑走を調整する滑走調整部材が設けられていることを特徴とする請求項１から請求項３のいずれか一項に記載のマウスパッド。
【請求項５】
マウスパッドにはマウスの操作部材が設けられ、マウスパッド自体がマウスの機能を有することを特徴とする請求項１から請求項４のいずれか一項に記載のマウスパッド。
【発明の詳細な説明】
【技術分野】
【０００１】
本発明は、コンピュータ（パソコン）の入力機器として使用されるマウスの下に敷いて用いられるマウスパッドに関する。
【背景技術】
【０００２】
一般に、マウスパッドはその表面（上面）が滑りやすい滑面で構成され、裏面（下面）が滑らない非滑面で構成されており、マウスをマウスパッド表面上で滑らせて入力操作するようになっている。この場合、マウスパッド上のマウスはその両側面を親指、薬指及び小指で把持された状態で、人差し指及び中指でボタンを押圧操作するようになっている。そのとき、手の平のつけ根側がマウスパッド上に支点となるように載置される。そして、最初に決めた位置のマウスパッド上においてマウスを手で掴んで長時間入力操作を繰り返すと、手首が疲れてだるくなったり、指や手の平が擦れたり、肘や肩に凝りを感じたりする場合がある。
【０００３】
このため、マウスパッドとマウスを持ち上げて別の場所へ移動させ、その位置でマウスを操作することが行われる。しかし、そのような作業を逐一行うことは面倒であることから、一度決めたマウスパッドの位置でマウスパッドに自分の姿勢を合せ、長時間に亘ってマウスを操作する傾向にあり、指、手、肘、肩等に疲労が溜まる結果を招いていた。
【０００４】
そのような事態を解消するために、特許文献１に記載されているマウス一体型手置きシートが提案されている。このマウス一体型手置きシートはマウス本体の後部に着脱可能又は一体成形して取付けられるものであって、該手置きシートは手掌部が載る広さを有し、底面がマウス本体の底面と略同一平面をなすとともに、摩擦係数の小さい滑動材により形成されている。この手置きシートによれば、使用時に手掌部を手置きシートに載せてテーブル上でマウスを軽く滑動させることができ、手首の疲労や手指等にタコができるなどの問題を解消することができる。
【先行技術文献】
【特許文献】
【０００５】
【特許文献１】特開平８−２５５０５４号公報
【発明の概要】
【発明が解決しようとする課題】
【０００６】
しかしながら、特許文献１に記載されている従来構成の手置きシートは、具体的には底面側が滑動材で構成されるとともに、上面側が手になじむスポンジの板材で構成され、マウスの操作時や位置変更時には手置きシートはマウスと常に一体となっている。このため、マウス操作のためにマウスを動かすときには手置きシートも同時に動かさなければならず、マウスの重量が嵩むとともにマウスの周囲に手置きシートが大きくはみ出し、マウスの操作を円滑に行うことができず、操作の迅速性に欠けるという問題があった。
【０００７】
また、マウスの位置変更時には、マウスが手置きシートの前端部に設けられていることから、マウスを手置きシートとともに前方へ移動させる場合と後方へ移動させる場合とでは移動の操作感が異なり、移動を円滑に行うことができないという欠点があった。
【０００８】
そこで、本発明の目的とするところは、マウスの入力操作を容易かつ迅速に行うことができるとともに、マウスの位置変更を違和感なく、速やかに行うことができ、マウスの使用感に優れると同時に、手首等の疲労を著しく軽減することができるマウスパッドを提供することにある。
【課題を解決するための手段】
【０００９】
上記の目的を達成するために、請求項１に記載の発明のマウスパッドは、表面はマウスが滑走可能に構成されてマウスの操作を行うためのマウス滑走面で構成されるとともに、裏面はマウスパッドが載置される載置面に対して滑走性を有するパッド滑走面で構成され、かつ板状に形成され、その側面には指掛け用凹部又は指掛け用凸部が設けられ、側面が指で把持可能に構成されていることを特徴とする。
【００１１】
請求項２に記載の発明のマウスパッドは、請求項１に係る発明において、表面と側面との間の境界部及び裏面と側面との間の境界部の少なくとも一方には面取部が形成されていることを特徴とする。
【００１２】
請求項３に記載の発明のマウスパッドは、請求項１又は請求項２に係る発明において、石材により形成され、少なくとも表面及び裏面が研磨面で構成されていることを特徴とする。
【００１３】
請求項４に記載の発明のマウスパッドは、請求項１から請求項３のいずれか一項に係る発明において、前記裏面には載置面に対するパッド滑走面の滑走を調整する滑走調整部材が設けられていることを特徴とする。
【００１４】
請求項５に記載の発明のマウスパッドは、請求項１から請求項４のいずれか１項に係る発明において、マウスパッドにはマウスの操作部材が設けられ、マウスパッド自体がマウスの機能を有することを特徴とする。
【発明の効果】
【００１５】
本発明によれば、次のような効果を発揮することができる。
請求項１に係る発明のマウスパッドは、その表面はマウスが滑走可能に形成されてマウスの操作を行うためのマウス滑走面で構成され、裏面はマウスパッドが載置される載置面に対して滑走性を有するパッド滑走面で構成されている。このため、マウスを操作するときには、マウスをマウスパッド表面のマウス滑走面上を所望方向に滑走させることにより、マウスを軽い操作で所望位置まで動かして入力操作を実施することができる。
【００１６】
さらに、マウスの位置変更を行うときには、マウスパッドをそのパッド滑走面が載置面上を滑走するように移動させることにより、マウスパッドを所望場所まで位置変更させることができる。従って、１つの位置でマウスの入力操作を続けて手首が疲労したり、肘や肩がだるくなったりしたとき、マウスパッドを他の位置に変更して入力操作を行うことにより、それらの症状を軽減することができる。
加えて、マウスパッドが板状に形成され、その側面が指で把持可能に構成されているため、マウスパッド上にマウスを載せた状態でマウスパッドの側面を指で把持し、簡単に移動させることができる。その上、マウスパッドの側面には指掛け用凹部又は指掛け用凸部が設けられていることから、この指掛け用凹部又は指掛け用凸部に指を掛けることにより、マウスパッドに対するマウスの位置を認識できるとともに、マウスパッドの移動を補助することができる。
【００１７】
よって、本発明のマウスパッドによれば、マウスの入力操作を容易かつ迅速に行うことができるとともに、マウスの位置変更を違和感なく、速やかに行うことができ、マウスの使用感に優れると同時に、手首等の疲労を著しく軽減することができるという効果を奏する。
【図面の簡単な説明】
【００１８】
【図１】第１実施形態におけるマウスパッド上でマウスの入力操作を行う状態を示す斜視図。
【図２】マウスパッド上にマウスを置いた状態を示す平面図。
【図３】マウスパッドの両側面を指で把持している状態を示す正面図。
【図４】マウスパッド上に載置されたマウスがマウスパッド上から側方へ外れた状態を示す説明図。
【図５】第２実施形態のマウスパッドを示し、マウスパッド上にマウスが載置された状態の平面図。
【図６】第３実施形態のマウスパッドを示し、マウスの機能を有するマウスパッド上に載置されたマウスで入力操作を行う状態を示す斜視図。
【図７】図６のマウスパッドを示す底面図。
【図８】図６のマウスパッド表面の左ボタン及び右ボタンを指で操作している状態を示す斜視図。
【図９】第４実施形態のマウスパッドを示し、（ａ）はそのマウスパッド上にマウスが載置され、その上に手を置いた状態の平面図、（ｂ）はマウスパッドの底面図、（ｃ）はマウスパッドの背面図。
【図１０】第５実施形態のマウスパッドを示し、（ａ）はそのマウスパッドの平面図、（ｂ）はマウスパッドの底面図、（ｃ）はマウスパッドの拡大断面図。
【図１１】第６実施形態のマウスパッドを示し、（ａ）はそのマウスパッドの平面図、（ｂ）はマウスパッドの底面図、（ｃ）はマウスパッドの拡大背面図。
【図１２】第７実施形態のマウスパッドを示し、（ａ）はそのマウスパッド上にマウスが載置され、その上に手を置いた状態の平面図、（ｂ）はマウスパッドの底面図、（ｃ）はマウスパッドの背面図。
【図１３】第８実施形態のマウスパッドを示す斜視図。
【発明を実施するための形態】
【００１９】
（第１実施形態）
以下、本発明を具体化した第１実施形態を図１〜図４に基づいて詳細に説明する。
図１及び図２に示すように、この第１実施形態のマウスパッド１１は大理石、御影石（花崗岩）等の石材により細長矩形板状に形成されている。マウスパッド１１の長辺１２はマウス１３の長さより長く形成され、短辺１４はマウス１３の幅より若干広い程度の幅狭に形成されている。このマウスパッド１１として具体的には、長辺１２の長さが１５０〜２５０ｍｍ、短辺１４の幅が４０〜１００ｍｍ及び垂直辺１５の厚さが５〜２０ｍｍに設定される。なお、マウス１３は長さが約１１０ｍｍ、幅が約６０ｍｍ及び厚さが約３５ｍｍであり、その裏面には赤外線の発光器と受光器とよりなる送受光部３６（図７参照）が配置され、マウスの移動量、移動方向及び移動速度を光学的に読み取ってコンピュータに信号を送るオプティカルマウスである。
【００２０】
図３に示すように、マウスパッド１１表面はマウス１３が滑走可能に構成されてマウス１３の操作を行うためのマウス滑走面１６で構成されるとともに、裏面はマウスパッド１１が載置されるテーブル等の載置面１８に対して滑走性を有するパッド滑走面１７で構成されている。すなわち、マウスパッド１１表面のマウス滑走面１６及び裏面のパッド滑走面１７は研磨面（平滑面）で構成されるとともに、側面１９も研磨面で構成されている。これらの研磨面は、石材の表面をダイヤモンド砥粒で研磨することにより形成される。ダイヤモンド砥粒の粒度は、＃１００〜＃４０００のものが使用される。この粒度が＃１００より大きくなると研磨面が粗くなり過ぎる一方、＃４０００より小さくなると研磨面は微細になるが、そのような平滑面を形成するための作業時間が長くなったり、製作コストが嵩んだりして好ましくない。
【００２１】
図１及び図２に示すように、マウスパッド１１の表面上の中間部にはマウス１３が載置され、その状態でマウス１３に手２０を載せて操作できるようになっている。マウスパッド１１表面の後端部は手の平２０ａの付け根を置く支持面２１となり、その支持面２１上に手の平２０ａの付け根を置き、そこを中心にしてマウス１３を操作するようになっている。マウス１３を操作する場合には、マウス１３の上に手の平２０ａを被せ、親指２２と薬指２３及び小指２４でマウス１３の側部３７を把持するようにして人指し指２５でマウス１３の操作部材としての左ボタン２６を操作し、クリック、ブレス、ドラッグ等を行う。また、人指し指２５又は中指２７でマウス１３の操作部材としての右ボタン２８及びホイール２９（スクロールボタン）を操作し、クリック、ブレス、ドラッグ等を行うようになっている。なお、マウス１３の前端部にはケーブル３０が接続され、マウス１３の入力操作によって信号がケーブル３０を介してコンピュータに送られ、コンピュータが所定の動作をするように構成されている。
【００２２】
図３に示すように、マウスパッド１１の両側面１９は親指２２と薬指２３及び小指２４で把持可能に構成され、マウス１３を別の位置で操作したいときにマウスパッド１１の位置変更を行うようになっている。この場合、マウス１３を手の平２０ａで包み込むようにして親指２２と薬指２３及び小指２４でマウスパッド１１の側面１９を把持し、マウス１３とともにマウスパッド１１を載置面１８上で滑らせて移動させる。
【００２３】
図４に示すように、マウスパッド１１表面のマウス滑走面１６と両側面１９との間の境界部にはそれぞれ断面円弧状の面取部３１が形成されている。そして、図４の二点鎖線に示すように、マウス１３をマウスパッド１１のマウス滑走面１６上で操作している場合に、マウス１３がマウスパッド１１の側縁から落ちそうになったとき元の位置に戻しやすいようになっている。また、マウスパッド１１裏面のパッド滑走面１７と両側面１９との間の境界部にはそれぞれ断面円弧状の面取部３８が形成されている。そして、マウスパッド１１を載置面１８上で移動させるとき、引っ掛かりをなくして円滑に滑らせることができるようになっている。
【００２４】
図１及び図２に示すように、マウスパッド１１表面の前端部には、「ＡＢＣ」の文字３２が描かれ、マウス１３の操作時やマウスパッド１１の移動時に常に視認できるようになっている。
【００２５】
次に、上記のように構成されたマウスパッド１１の作用について説明する。
さて、図１に示すように、マウス１３を操作する場合には、マウス１３をマウスパッド１１表面の前半部に置き、手の平２０ａの付け根側をマウスパッド１１表面の支持面２１に載せて支持し、その状態で親指２２と薬指２３及び小指２４でマウス１３の両側部３７を把持する。そして、マウス１３を上下左右に動かすとともに、所定位置で動きを止めて人指し指２５又は中指２７で左ボタン２６、右ボタン２８又はホイール２９を押圧操作又は回動操作することにより、コンピュータを動作させる。このとき、マウスパッド１１の表面は研磨されたマウス滑走面１６で構成されていることから、マウス１３の動きは滑らかで、操作を速やかに進めることができる。
【００２６】
マウス１３を同一位置で操作し続けて疲労を感じたときには、図３に示すように、親指２２と薬指２３及び小指２４でマウスパッド１１の両側面１９を把持し、マウス１３を手の平２０ａで包み込むようにした状態でマウスパッド１１をマウス１３と一体にして載置面１８上で滑走させ、所望位置まで移動させてマウスパッド１１の位置を変更する。このとき、マウスパッド１１の裏面は研磨されたパッド滑走面１７で構成されていることから載置面１８とパッド滑走面１７との間の摩擦係数が小さく、マウスパッド１１を小さな力でスムーズに動かすことができる。そして、変更された位置でマウスパッド１１上のマウス１３を前述のように操作する。
【００２７】
このように、マウス１３を載せた状態でマウスパッド１１自体を簡単に移動させることができるため、一定の位置でマウス１３を操作することによって生ずる疲労感を、マウスパッド１１の位置をこまめに変更することにより解消しつつ、マウス１３の操作を長時間継続することができる。
【００２８】
以上の第１実施形態によって発揮される効果を以下にまとめて記載する。
（１）この第１実施形態のマウスパッド１１によれば、その表面はマウス滑走面１６で構成され、裏面はパッド滑走面１７で構成されている。このため、マウス１３を操作するときには、マウス１３をマウス滑走面１６上で所望方向に滑走させることにより、マウス１３を手首と指で軽く所望位置まで動かして入力操作を実施することができる。さらに、マウスパッド１１の位置変更を行うときには、マウスパッド１１をそのパッド滑走面１７が載置面１８上を滑走するように移動させることにより、マウスパッド１１を所望場所まで位置変更させることができる。従って、１つの位置でマウス１３の入力操作を続けて手首が疲労したり、肘や肩がだるくなったりしたとき、マウスパッド１１を他の位置に変更して入力操作を行うことにより、それらの症状を軽減することができる。
【００２９】
よって、第１実施形態のマウスパッド１１によれば、マウス１３の入力操作を容易かつ迅速に行うことができるとともに、マウス１３の位置変更を違和感なく、速やかに行うことができ、マウス１３の使用感に優れると同時に、手首等の疲労を著しく軽減することができるという効果を発揮する。
（２）マウスパッド１１は細長矩形板状に形成され、その長辺１２はマウス１３の長さより長く設定されるとともに、その両側面１９は指で把持可能な幅に構成されている。このため、手の平２０ａの付け根をマウスパッド１１に載せた状態でマウス１３の操作を安定して行うことができるとともに、マウス１３をマウスパッド１１上に載せた状態でマウスパッド１１の両側面１９を指で把持し、簡単に移動させることができる。
（３）マウスパッド１１の表面と側面１９との間の境界部には断面円弧状をなす面取部３１が形成されている。従って、マウスパッド１１のマウス滑走面１６上でマウス１３の操作中にマウス１３の一部がマウスパッド１１の表面から側方へ落ちたとき、マウス１３の底面３３を面取部３１に沿って滑らせて元の位置に容易に戻すことができる。また、マウスパッド１１裏面と両側面１９との間の境界部には断面円弧状の面取部３８が形成されている。このため、マウスパッド１１の移動時に引っ掛かりをなくして迅速に滑らせることができる。
（４）マウスパッド１１は石材により形成され、表面、裏面及び側面１９が研磨面で構成されている。そのため、マウスパッド１１は重量が大きく、載置面１８上に安定した状態で載置され、マウス１３をマウスパッド１１上で安定して操作することができ、操作感に優れている。さらに、マウスパッド１１のマウス滑走面１６が研磨面で構成されていることからマウスパッド１１表面でのマウス１３の操作性に優れ、またマウスパッド１１の裏面が研磨面で構成されていることから載置面１８上でのマウスパッド１１の移動操作性に優れている。加えて、マウスパッド１１の表裏両面が研磨面で構成されているため、表面及び裏面を入れ替えて使用することができる。
（５）マウスパッド１１表面の前端部には「ＡＢＣ」の文字３２が描かれている。このため、マウス１３の操作時やマウスパッド１１の移動操作時に「ＡＢＣ」の文字３２を常に視認することができる。
（第２実施形態）
次に、本発明を具体化した第２実施形態を図５に基づいて説明する。なお、この第２実施形態においては、前記第１実施形態と異なる部分について主に説明する。
【００３０】
図５に示すように、マウスパッド１１は第１実施形態のマウスパッド１１に比べて幅広に形成されるとともに、両側面１９は後端部側ほど幅広になるようにテーパ面となっている。また、マウスパッド１１の後端面３４は平面円弧状をなす円弧面となっている。マウスパッド１１の両側部には、指を挿入してマウスパッド１１を把持するための一対の把持用長孔３５が貫通形成されている。マウス１３はマウスパッド１１表面の把持用長孔３５間に配置されるようになっている。なお、マウスパッド１１表面の後端部が支持面２１となっている。
【００３１】
さて、マウス１３を操作する場合には、手の平２０ａの付け根をマウスパッド１１の支持面２１上に置き、マウス１３を手の平２０ａで掴むようにしてマウス１３を前後左右に適宜滑らせ、マウス１３の左ボタン２６、右ボタン２８及びホイール２９を指で操作する。一方、マウスパッド１１の位置を変更する場合には、マウス１３を手２０で覆った状態で親指２２と薬指２３及び小指２４とをそれぞれ両方の把持用長孔３５に挿入してマウスパッド１１の内側における両側面１９ａを把持する。その状態で、マウスパッド１１を載置面１８上で滑らせることにより、マウスパッド１１の位置変更を行うことができる。このとき、マウスパッド１１の裏面はパッド滑走面１７となっていることから、マウスパッド１１を載置面１８上で滑らかに、しかも迅速に移動させることができる。
（第３実施形態）
次に、本発明の第３実施形態を図６〜図８に基づいて説明する。なお、この第３実施形態においても、前記第１実施形態と異なる部分について主に説明する。
【００３２】
図６に示すように、第３実施形態のマウスパッド１１は、マウスパッド１１自体がマウス１３の機能を有し、マウスパッド１１上のマウス１３で動作させる第１のコンピュータとは別の第２のコンピュータを動作させることができるようになっている。すなわち、マウスパッド１１表面の前端部にはマウス１３の操作部材としての左ボタン２６ａ及び右ボタン２８ａが設けられ、それぞれクリック、ブレス、ドラッグ等の操作により第２のコンピュータを動作させることができるようになっている。図７に示すように、マウスパッド１１裏面の前半部には、赤外線の発光部と受光部とよりなる送受光部３６が配置されている。
【００３３】
さて、マウスパッド１１上のマウス１３を操作して第１のコンピュータを動作させる場合には、第１実施形態と同様の操作で実施することができる。マウスパッド１１自体で第２のコンピュータを動作させる場合には、図８に示すように、人指し指２５でマウスパッド１１表面の左ボタン２６ａを操作し、中指２７でマウスパッド１１表面の右ボタン２８ａを操作することにより、第２のコンピュータを動作させることができる。また、図８の二点鎖線に示すように、親指２２と薬指２３及び小指２４をマウスパッド１１の両側面１９に掛けてマウスパッド１１を載置面１８上で滑らせることにより、マウスパッド１１の位置変更を行うことができる。
【００３４】
従って、この第３実施形態では、マウス１３の機能を有するマウスパッド１１とその上のマウス１３により、２台のコンピュータを適宜動作させることができる。
（第４実施形態）
次に、本発明の第４実施形態を図９に基づいて説明するが、この第４実施形態においても、前記第１実施形態と異なる部分について主に説明する。
【００３５】
図９（ａ）に示すように、マウスパッド１１の一側面１９のほぼ中央位置には、親指２２を掛けるための指掛け用凹部４１が平面円弧状（親指状）に切欠き形成されている。図９（ａ）の二点鎖線に示すように、この指掛け用凹部４１に親指２２を掛けることにより、マウスパッド１１に対するマウス１３の位置を認識できるとともに、マウスパッド１１の移動を補助できるようになっている。
【００３６】
図９（ｂ）及び（ｃ）に示すように、マウスパッド１１の裏面のパッド滑走面１７には、その四隅に矩形板状をなすコルク製の滑走調整部材４３が貼着されている。この滑走調整部材４３により、マウスパッド１１のマウス滑走面１６上でマウス１３を滑走させる場合にはマウスパッド１１が動き難く、マウスパッド１１を滑走させる場合にはマウスパッド１１が載置面１８上をスムーズに滑走できるように構成されている。このマウスパッド１１は石材、木材、皮又はポリウレタン樹脂等の合成樹脂で形成されるが、木材、皮又は合成樹脂の場合にはパッド滑走面１７に滑走調整部材４３を貼着することが好ましい。マウスパッド１１が石材の場合には、その重さによりマウス１３の滑走時にはマウスパッド１１が動き難く、マウスパッド１１の滑走時にはそのパッド滑走面１７の平滑性ゆえにスムーズに滑走させることができる。
【００３７】
図９（ａ）及び（ｃ）に示すように、マウス滑走面１６の後端部には、四角柱状の手首支持体４４が貼着されている。この手首支持体４４により、マウス１３の操作時に手首４５を支えて固定した状態で、マウス１３を安定して操作できるようになっている。
【００３８】
そして、マウスパッド１１上でマウス１３を操作する場合には、手首支持体４４に手首４５を載せた状態でマウス１３を操作することにより、マウス１３が前後方向及び左右方向にぶれないようにしてマウス１３を操作することができる。マウスパッド１１を移動させたい場合には、図９（ａ）の二点鎖線に示すように親指２２を指掛け用凹部４１に掛けると同時に、小指２４をマウスパッド１１の側面１９に掛け、その状態でマウスパッド１１を動かすことによって、マウスパッド１１を所望方向に迅速に移動させることができる。このとき、マウスパッド１１の側面１９には指掛け用凹部４１が設けられていることから、親指２２でマウスパッド１１の側面１９をしっかりと把持できて、マウスパッド１１の移動が正確に、しかも速やかに行われる。また、マウス１３を操作する合間に親指２２を指掛け用凹部４１に触れることにより、マウス１３の位置を常に認識することができ、マウス１３をマウス滑走面１６の中央部付近に保持することができる。
【００３９】
従って、この第４実施形態によれば、マウス滑走面１６上でのマウス１３の位置を簡単に確認することができるとともに、マウスパッド１１の移動を円滑に行うことができ、かつマウス１３を安定した状態で操作することができる。よって、マウスパッド１１やマウス１３を目で追うことなく（ブラインドタッチ）、マウスパッド１１の位置と向きを認識した状態でマウス１３を操作できるとともに、マウスパッド１１上でのマウス１３の異常な位置ずれやマウスパッド１１からのマウス１３の落下を防止することができる。
（第５実施形態）
次に、本発明の第５実施形態を図１０に基づいて説明するが、この第５実施形態においても、前記第１実施形態と異なる部分について主に説明する。
【００４０】
図１０（ａ）〜（ｃ）に示すように、マウス滑走面１６の後端部には手首支持体４４が貼着されるとともに、パッド滑走面１７の後端側には保持穴４６が凹設され、該保持穴４６には滑走調整部材としての滑走調整ねじ４７が出没可能に螺合されている。この滑走調整ねじ４７の頭部４７ａには、図示しない滑り抑制剤による滑り抑制層が形成されている。そして、図９（ｃ）の実線に示すように、滑走調整ねじ４７が保持穴４６内に没入した状態ではマウスパッド１１のパッド滑走面１７が載置面１８に接する。一方、図９（ｃ）の二点鎖線に示すように、滑走調整ねじ４７が螺退されてマウスパッド１１の裏面から突出した状態では滑走調整ねじ４７の頭部４７ａが載置面１８に接してマウスパッド１１の滑走を抑制する。
【００４１】
従って、この第５実施形態では、マウス１３の操作を安定して行うことができるとともに、マウスパッド１１の滑走程度を滑走調整ねじ４７の螺入、螺退により容易に調整することができる。
（第６実施形態）
次に、本発明の第６実施形態を図１１に基づいて説明するが、この第６実施形態においても、前記第１実施形態と異なる部分について主に説明する。
【００４２】
図１１（ａ）〜（ｃ）に示すように、マウスパッド１１の後端部には平面矩形状の切欠き部４８が設けられるとともに、その切欠き部４８の後端側を跨ぐように手首支持体４４が架設されている。前記切欠き部４８において手首支持体４４の裏面には、滑走調整部材を構成する支持基台４９が接着され、該支持基台４９上には滑走調整部材を構成する滑走調整ドット５０が４箇所に突設されている。この滑走調整ドット５０は、ゴム、エラストマー等の滑り抑制剤の溶融液を滴下して固化することにより形成されている。
【００４３】
そして、図１１（ｃ）の実線に示すように、手首支持体４４上に手首４５を載せない状態では滑走調整ドット５０は載置面１８に接触しない。一方、図１１（ｃ）の二点鎖線に示すように、手首支持体４４上に手首４５を載せた状態では手首４５の重みと押圧力で手首支持体４４が下方へ撓み、滑走調整ドット５０が載置面１８に接触してマウスパッド１１の滑走を抑制する。
【００４４】
従って、この第６実施形態によれば、手首４５を手首支持体４４上に載せることによりマウスパッド１１の動きを抑えてマウス１３の操作を安定した状態で行うことができるとともに、手首４５を浮かせることによりマウスパッド１１を容易に移動させることができる。
（第７実施形態）
次に、本発明の第７実施形態を図１２に基づいて説明するが、この第７実施形態においても、前記第１実施形態と異なる部分について主に説明する。
【００４５】
図１２（ａ）に示すように、マウスパッド１１は幅広に形成され、その両側面１９を指で把持し難くなっているとともに、そのマウス滑走面１６の後端部には手首支持体４４が貼着されている。すなわち、図１２（ａ）〜（ｃ）に示すように、手首支持体４４はマウスパッド１１表面の後端部にその後端部より後方へ延出された状態で貼着され、その上面には手首係止凹部５１が切欠き形成され、該手首係止凹部５１の後端側には後端部ほど縮幅するテーパ部５２が設けられている。このため、手首４５を手首支持体４４上に載せたとき、手首４５が手首係止凹部５１に係止され、手首４５を固定した状態でマウス１３を安定して操作できるとともに、その状態でマウスパッド１１を移動させることができる。手首支持体４４の後端部の裏面には、マウスパッド１１の後端部より後方へ延出された手首支持体４４を支持する支持片５３が貼着されている。
【００４６】
そして、マウス１３を操作する場合にはマウスパッド１１上に手２０を載せ、手首４５を手首支持体４４の手首係止凹部５１に係止し、その状態でマウス１３の位置を変えることなく操作できるとともに、マウスパッド１１を任意の方向へ移動させることもできる。
【００４７】
従って、この第７実施形態によれば、マウス１３の操作を安定した状態で円滑に行うことができるとともに、指をマウスパッド１１の側面１９に掛けることなく、マウスパッド１１を移動させることができる。
（第８実施形態）
次に、本発明の第８実施形態を図１３に基づいて説明するが、この第８実施形態においては、前記第４実施形態と異なる部分について主に説明する。
【００４８】
図１３に示すように、マウス滑走面１６の前端部には、左側に四角箱状をなし、定規、消しゴム等の文具を入れる文具入れ５４が立設されるとともに、右側にボールペン５６等が差し込まれるペン立て５５が設置されている。このため、例えばマウス１３の操作後に文具入れ５４から所望の文具を取り出して使用したり、ペン立て５５からボールペン５６を取り出して使用したりすることができる。
【００４９】
従って、この第８実施形態では、マウスパッド１１をマウス１３操作のためだけではなく、文具を用いるためにも利用することができ、利便性を向上させることができる。
なお、前記各実施形態を次のように変更して具体化することも可能である。
【００５０】
・  前記第１〜第３実施形態において、マウスパッド１１のマウス滑走面１６の滑り性とパッド滑走面１７の滑り性を異なるように設定することも可能である。この場合、パッド滑走面１７の滑り性がマウス滑走面１６の滑り性より高くなるように設定することにより、マウスパッド１１が重い石材であってもマウスパッド１１を載置面１８上で一層軽く滑らせることができる。
【００５１】
・  第１実施形態において、マウスパッド１１表面の前端部における「ＡＢＣ」の文字３２を、適宜の文字に変更したり、図形に変更したり、模様に変更したり、或いはノベルティグッズを固定又は置くように変更したりすることもできる。
【００５２】
・  第１〜第３実施形態において、マウスパッド１１として、ポリウレタン樹脂等の合成樹脂、木材、皮、セラミック等を用いて製作することもできる。
・  第１実施形態において、側面１９を非研磨面とすることもできる。
【００５３】
・  第３実施形態において、マウスパッド１１上にマウス１３の操作部材としてホイール２９等を設けることも可能である。
・  マウスパッド１１表面は前端部より後端部ほど高くなる傾斜面で構成することも可能である。この場合、マウスパッド１１の支持面２１に手の平２０ａの付け根を置いたときの安定性が良くなるとともに、マウス１３の操作性も向上させることができる。
【００５４】
・  前記マウスパッド１１の面取部３１及び面取部３８の一方又は両方を省略することもできる。
・  マウス１３として、ボールを用いたメカニカルマウス、レーザ光を使用したレーザマウス、前記ケーブルを省略したワイヤレスマウス等を使用することもできる。
【００５５】
・  マウスパッド１１の平面形状を、細長六角形状、細長八角形状等の形状に変更することも可能である。
・  前記第４実施形態において、指掛け用凹部４１をマウスパッド１１の両側面１９に設けることができる。或いは、指掛け用凹部４１に代えて、指掛け用凸部をマウスパッド１１の側面１９に設けることができる。
【００５６】
・  前記第４実施形態において、指掛け用凹部４１を平面横台形状、平面横三角形状等に形成することもできる。また、指掛け用凹部４１をマウスパッド１１の側面１９の前端側又は後端側に設けることも可能である。
【００５７】
・  前記第４実施形態において、滑走調整部材４３をガラス、木材、又は塩化ビニル樹脂等の合成樹脂で形成することも可能である。
・  前記第８実施形態において、文具入れ５４やペン立て５５に代え、ネーム印、玩具（人形、航空機等）、メモ台、表示板等を置くように構成することもできる。
【符号の説明】
【００５８】
１１…マウスパッド、１３…マウス、１６…マウス滑走面、１７…パッド滑走面、１８…載置面、１９、１９ａ…側面、２２…親指、２３…薬指、２４…小指、２５…人指し指、２７…中指、３１，３８…面取部、４１…指掛け用凹部、４３…滑走調整部材。
【図１】
0005486587.tif 000002
【図２】
0005486587.tif 000003
【図３】
0005486587.tif 000004
【図４】
0005486587.tif 000005
【図５】
0005486587.tif 000006
【図６】
0005486587.tif 000007
【図７】
0005486587.tif 000008
【図８】
0005486587.tif 000009
【図９】
0005486587.tif 000010
【図１０】
0005486587.tif 000011
【図１１】
0005486587.tif 000012
【図１２】
0005486587.tif 000013
【図１３】
0005486587.tif 000014